(57)【要約】【課題】二次電池のケース内部の電解液が電極端子とキャッププレートの間に侵入することを防ぎ、電極端子とキャッププレートの電気的な短絡を防ぐ。【解決手段】二次電池は、ケースに収容される電極組立体、ケースの開口に結合するキャッププレート、電極組立体に電気的に結合して第１リベットフランジおよび第２リベットフランジを含むリベット、および第１リベットフランジと結合する第１ガスケットフランジおよび第２リベットフランジと結合する第２ガスケットフランジを含むガスケットを含む。【選択図】図１
2013016478.tif 000002
【特許請求の範囲】
【請求項１】
ケースに収容される電極組立体と、
前記ケースの開口に結合するキャッププレートと、
前記電極組立体に電気的に結合して第１リベットフランジおよび第２リベットフランジを含むリベットと、
前記第１リベットフランジと結合する第１ガスケットフランジおよび前記第２リベットフランジと結合する第２ガスケットフランジを備えたガスケットと、
を備える、二次電池。
【請求項２】
前記第１ガスケットフランジの大きさは、前記第１リベットフランジの大きさよりも大きい、又は前記第１リベットフランジの大きさと同じである、請求項１に記載の二次電池。
【請求項３】
前記第２ガスケットフランジの大きさは、前記第２リベットフランジの大きさよりも大きい、又は前記第２リベットフランジの大きさと同じである、請求項１に記載の二次電池。
【請求項４】
前記リベットは、前記キャッププレートを貫通して延長する柱部をさらに含む、請求項１に記載の二次電池。
【請求項５】
前記ガスケットは貫通ホールを備え、
前記リベットの前記柱部は、前記ガスケットの前記貫通ホールを貫通して延長する、請求項４に記載の二次電池。
【請求項６】
前記第１リベットフランジは第１方向および前記第１方向と垂直な第２方向に延長し、
前記第２リベットフランジは前記第１リベットフランジの側面周縁から前記第２方向に延長し、
前記第１ガスケットフランジは前記第１方向と前記第２方向に延長し、
前記第２ガスケットフランジは前記第１ガスケットフランジの側面周縁から前記第２方向に延長し、
前記ガスケットは前記第１方向および第２方向と垂直な第３方向に延長するガスケット本体を含み、
前記ガスケットの前記貫通ホールは、前記第３方向に前記ガスケット本体を貫通して形成される、請求項５に記載の二次電池。
【請求項７】
貫通ホールが形成された絶縁部材をさらに含み、
前記ガスケット本体は、前記絶縁部材の前記貫通ホールを貫通して延長する、請求項６に記載の二次電池。
【請求項８】
前記第１リベットフランジは第１方向および前記第１方向と垂直な第２方向に延長し、
前記第２リベットフランジは前記第１リベットフランジの側面周縁から前記第２方向に延長し、
前記第１ガスケットフランジは前記第１方向と前記第２方向に延長し、
前記第２ガスケットフランジは前記第１ガスケットフランジの側面周縁から前記第２方向に延長する、請求項１に記載の二次電池。
【請求項９】
前記第２ガスケットフランジは、前記第１および前記第２方向と垂直な第３方向に延長して前記第２リベットフランジの終端を覆う折曲部を含む、請求項８に記載の二次電池。
【請求項１０】
前記リベットは、前記第２リベットフランジが延長する前記側面周縁の反対側に位置する第１リベットフランジの他側面の周縁から前記第２方向に延長する第３リベットフランジをさらに含む、請求項８に記載の二次電池。
【請求項１１】
前記ガスケットは、前記第２ガスケットフランジが延長する前記側面周縁の反対側に位置する第１ガスケットフランジの他側面の周縁から前記第２方向に延長して前記第３リベットフランジと結合する第３ガスケットフランジをさらに含む、請求項１０に記載の二次電池。
【請求項１２】
前記第３ガスケットフランジの大きさは、前記第３リベットフランジの大きさよりも大きい、又は前記第３リベットフランジの大きさと同じである、請求項１１に記載の二次電池。
【請求項１３】
前記第３ガスケットフランジは、前記第１方向および前記第２方向と垂直な第３方向に延長して前記第３リベットフランジを覆う折曲部を含む、請求項１１に記載の二次電池。
【請求項１４】
前記ガスケットはリベットフランジ結合部をさらに含み、
前記リベットフランジ結合部は、前記第１方向および前記第２方向と垂直な第３方向で前記第１ガスケットフランジから延長する第１リベットフランジ結合溝、および前記第３方向で前記第２ガスケットフランジから延長する第２リベットフランジ結合溝を含む、請求項１１に記載の二次電池。
【請求項１５】
前記第２ガスケットフランジは前記第１ガスケットフランジよりも薄い、請求項１に記載の二次電池。
【請求項１６】
前記ガスケットと前記キャッププレートの間に位置して前記リベットフランジと前記ガスケットを収容する結合溝を備えた絶縁部材をさらに含み、
前記ガスケットと前記第１および第２リベットフランジは、前記キャッププレートと前記絶縁部材間に位置する、請求項１に記載の二次電池。
【請求項１７】
端子結合部および電極結合部を含む集電体をさらに含み、
前記リベットは前記集電体を経由して前記電極組立体と電気的に結合する、請求項１６に記載の二次電池。
【請求項１８】
前記絶縁部材は、前記結合溝と前記リベットフランジの間に前記端子結合部を収容する結合溝を含む、請求項１７に記載の二次電池。
【請求項１９】
前記絶縁部材は、前記絶縁部材の側面周縁に前記電極結合部の一部を囲む結合フックをさらに含む、請求項１７に記載の二次電池。
【請求項２０】
前記キャッププレートは複数の突起溝を含み、
前記絶縁部材は前記突起溝がそれぞれ結合する固定溝を含む、請求項１に記載の二次電池。
【発明の詳細な説明】
【技術分野】
【０００１】
本発明は、二次電池に関し、より詳細にはガスケットおよび端子の構造を改善した二次電池に関する。
【背景技術】
【０００２】
二次電池（ｒｅｃｈａｒｇｅａｂｌｅ  ｂａｔｔｅｒｙ）は、充電が不可能な一次電池とは異なり、充電および放電が可能な電池である。低容量の二次電池は携帯電話機やノートパソコン、ビデオカメラのように携帯が可能な小型電子機器に用いられ、大容量電池はハイブリッド自動車などのモータ駆動用電源または大容量電力貯蔵装置に用いられる。
【０００３】
最近、高エネルギー密度の非水電解液を利用した高出力二次電池が開発されているが、このような高出力二次電池は、大電力を必要とする機器、例えば、電気自動車などのモータ駆動に用いられるように、複数の二次電池を直列に連結して大容量の電池モジュールとして構成される。このような二次電池は、円筒形や角型などで形成されることができる。
【発明の概要】
【発明が解決しようとする課題】
【０００４】
しかし、二次電池のケース内部の電解液が電極端子とキャッププレートの間に侵入し、電極端子とキャッププレートの電気的な短絡を誘発させるという問題が発生する。
【０００５】
さらに、二次電池のケース内部の電解液がケース外部に流出するという問題が発生する。
【０００６】
そこで、本発明は、上記問題に鑑みてなされたものであり、本発明の目的とするところは、二次電池のケース内部の電解液が電極端子とキャッププレートの間に侵入することを防ぎ、電極端子とキャッププレートの電気的な短絡を防ぐことが可能な、新規かつ改良された二次電池を提供することにある。
【０００７】
また、本発明の目的とするところは、ケース外部に電解液が流出することを防ぐことが可能な二次電池を提供することにある。
【課題を解決するための手段】
【０００８】
上記課題を解決するために、本発明のある観点によれば、ケースに収容される電極組立体、ケースの開口に結合するキャッププレート、電極組立体に電気的に結合して第１リベットフランジおよび第２リベットフランジを含むリベット、および第１リベットフランジと結合する第１ガスケットフランジおよび第２リベットフランジと結合する第２ガスケットフランジを含むガスケットと、を備える二次電池が提供される。
【０００９】
また、第１ガスケットフランジの大きさは、第１リベットフランジの大きさよりも大きいか同じであってもよい。
【００１０】
また、第２ガスケットフランジの大きさは、第２リベットフランジの大きさよりも大きいか同じであってもよい。
【００１１】
また、リベットは、前記キャッププレートを貫通して延長する柱部をさらに含んでもよい。
【００１２】
また、ガスケットは貫通ホールを備え、リベットの柱部はガスケットの貫通ホールを貫通して延長してもよい。
【００１３】
また、第１リベットフランジは第１方向および第１方向と垂直する第２方向に延長してもよく、第２リベットフランジは第１リベットフランジの側面周縁から第２方向に延長してもよく、第１ガスケットフランジは第１方向と第２方向に延長してもよく、第２ガスケットフランジは第１ガスケットフランジの側面周縁から第２方向に延長してもよく、ガスケットは第１方向および第２方向と垂直する第３方向に延長するガスケット本体を含んでもよく、ガスケットの貫通ホールは第３方向にガスケット本体を貫通して形成されてもよい。
【００１４】
貫通ホールが形成された絶縁部材をさらに含んでもよく、ガスケット本体は絶縁部材の貫通ホールを貫通して延長してもよい。
【００１５】
また、第１リベットフランジは第１方向および第１方向と垂直する第２方向に延長してもよく、第２リベットフランジは第１リベットフランジの側面周縁から第２方向に延長してもよく、第１ガスケットフランジは第１方向と第２方向に延長してもよく、第２ガスケットフランジは第１ガスケットフランジの側面周縁から第２方向に延長してもよい。
【００１６】
また、第２ガスケットフランジは、第１および第２方向と垂直する第３方向に延長して第２リベットフランジの終端を覆う折曲部を含んでもよい。
【００１７】
また、リベットは、前記第２リベットフランジが延長する前記側面周縁の反対側に位置する第１リベットフランジの他側面の周縁から前記第２方向に延長する第３リベットフランジをさらに含んでもよい。
【００１８】
また、ガスケットは、第２ガスケットフランジが延長する側面周縁の反対側に位置する第１ガスケットフランジの他側面の周縁から第２方向に延長し、第３リベットフランジと結合する第３ガスケットフランジをさらに含んでもよい。
【００１９】
また、第３ガスケットフランジの大きさは、第３リベットフランジの大きさよりも大きいか同じであってもよい。
【００２０】
また、第３ガスケットフランジは、第１方向および第２方向と垂直する第３方向に延長して第３リベットフランジを覆う折曲部を含んでもよい。
【００２１】
また、ガスケットはリベットフランジ結合部をさらに含んでもよく、リベットフランジ結合部は、第１方向および第２方向と垂直する第３方向で１ガスケットフランジから延長する第１リベットフランジ結合溝、および第３方向で第２ガスケットフランジから延長する第２リベットフランジ結合溝を含んでもよい。
【００２２】
また、第２ガスケットフランジは、第１ガスケットフランジよりも薄くてもよい。
【００２３】
また、ガスケットとキャッププレートの間に位置してリベットフランジとガスケットを収容する結合溝を備えた絶縁部材をさらに含んでもよく、ガスケットと第１および第２リベットフランジは、キャッププレートと絶縁部材間に位置してもよい。
【００２４】
また、端子結合部および電極結合部を含む集電体をさらに含んでもよく、リベットは集電体を経由して電極組立体と電気的に結合してもよい。
【００２５】
また、絶縁部材は、結合溝とリベットフランジの間に端子結合部を収容する結合溝を含んでもよい。
【００２６】
また、絶縁部材は、絶縁部材の側面周縁に電極結合部の一部を囲む結合フックをさらに含んでもよい。
【００２７】
また、キャッププレートは複数の突起溝を含んでもよく、絶縁部材は突起溝がそれぞれ結合する固定溝を含んでもよい。
【発明の効果】
【００２８】
本発明によれば、電極端子とキャッププレートの間に電解液が浸透することを防ぎ、電極端子とキャッププレートの電気的な短絡を防ぐことができる。
【００２９】
また、本発明の他の一側面によれば、二次電池のケース内部の電解液がケースの外部に流出することを防ぐことができる。
【図面の簡単な説明】
【００３０】
【図１】本発明の第１実施形態に係る二次電池を示す斜視図である。
【図２】図１でＩＩ−ＩＩ線に沿って切断した断面図である。
【図３】本発明の第１実施形態に係る二次電池の部分分解斜視図である。
【図４】本発明の第１実施形態の他の変形例に係る部分分解斜視図である。
【図５】本発明の第２実施形態に係る二次電池の部分分解斜視図である。
【図６】本発明の第３実施形態に係る二次電池の部分分解斜視図である。
【図７】図６の二次電池の結合状態に係る部分断面図である。
【図８】本発明の第３実施形態の他の変形例に係る部分分解斜視図である。
【発明を実施するための形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
以下では、本発明が属する技術分野において通常の知識を有する者が容易に実施できるように、本発明の実施形態を詳しく説明する。しかし、本発明は多様に相違した形態で実現されることができ、以下で説明する実施形態に限定されることはない。
【００３３】
図面において、説明の明確化のために、層または領域のサイズは誇張して示されることがある。１つの層または要素が他の層または基材の「上に」あるというのは、直接に上にあったり、その間にさらに他の層を介在しているものとして理解されるであろう。また、１つの層が異なる層の「下」にあるというのは、直接に下にあったり、その間に１つ以上のさらに他の層を介在しているものとして理解されるであろう。さらに、１つの層が２つの層「の間」にあるというのは、その１つの層が２つの層の間にある唯一の層であったり、その間に１つ以上のさらに他の層が介在しているものとして理解されるであろう。なお、本明細書および図面において、同一する符号は同一する構成要素を示す。
【００３４】
図１は、本発明の第１実施形態に係る二次電池を示す斜視図である。図２は、図１でＩＩ−ＩＩ線に沿って切断して断面図である。
【００３５】
図１および図２を参照しながら説明すれば、本実施形態に係る二次電池１００は、第１電極１１と第２電極１２の間にセパレータ１３を介在して巻き取られて形成された複数の電極組立体１０、電極組立体１０が内蔵されるケース２６、電極組立体１０と電気的に連結する第１端子部３０と第２端子部４０、ケース２６に形成された開口に結合するキャッププレート２０、およびケース２６内に設置される第１および第２絶縁部材６０、８０を含む。
【００３６】
本実施形態に係る二次電池１００はリチウムイオン二次電池であって、角型であるものを例示して説明する。ただし、本発明がこれに制限されることはなく、本発明はリチウムポリマー電池などの電池に適用されてもよい。
【００３７】
また、第１電極１１は負極として、第２電極１２は正極として構成されてもよく、反対に、第１電極１１は正極として、第２電極１２は負極として構成されてもよい。ただし、本発明では説明の便宜のために、負極と正極の代わりに第１電極１１と第２電極１２として説明する。
【００３８】
電極組立体１０は、第１電極１１と第２電極１２およびセパレータ１３を共に巻き取ることによってゼリーロール形態で構成される。第１電極１１と第２電極１２はそれぞれ、薄板の金属箔で形成される集電体と、それぞれの集電体の表面にコーティングされる活物質とを含む。さらに、第１電極１１と第２電極１２は、集電体に活物質がコーティングされるコーティング部と、集電体に活物質がコーティングされない第１電極無地部１１ａおよび第２電極無地部１２ａとに区分されてもよい。コーティング部は電極組立体１０において第１電極１１と第２電極１２の大部分を形成し、第１電極および第２電極無地部１１ａ、１２ａはゼリーロール状態でコーティング部の両側にそれぞれ配置される。
【００３９】
ただし、本発明がこれに制限されることはなく、前記電極組立体１０は、複数のシート（ｓｈｅｅｔ）で形成される第１電極１１と第２電極１２がセパレータ１３を間において積層された構造で形成されてもよい。
【００４０】
このような電極組立体１０の第１電極無地部１１ａには第１端子部３０が第１集電体５０を媒介として電気的に連結し、第２電極無地部１２ａには第２端子部４０が第２集電体７０を媒介として電気的に連結する。したがって、第１端子部３０は第１電極端子を含んでもよく、第２端子部４０は第２電極端子を含んでもよい。
【００４１】
ケース２６は大略六面体形状で構成され、一面には開放した開口が形成される。
ただし、本発明がこれに制限されることはなく、ケースは円筒形やポーチ型などの多様な形態で構成されてもよい。
【００４２】
キャッププレート２０は薄い板材で構成され、ケース２６の開口に結合して開口を密閉する。また、キャッププレート２０には、密閉したケース２６の内部に電解液を注入する電解液注入口２１が形成され、電解液注入口２１は電解液注入後に密封キャップ２２によって密封される。さらに、キャッププレート２０には、密閉したケース２６の内部圧力が設定された圧力以上であるときに破断するベントプレート２４が設置されるベントホール２３が形成される。
【００４３】
第１および第２端子部３０、４０は、第１および第２リベット３１、４１、第１および第２端子プレート３２、４２、第１および第２端子プレート３２、４２とキャッププレート２０の間に設置される第１端子絶縁部材３３、導電性の連結部材４３、および第１および第２ガスケット３４、４４を含む。ここで、第１および第２リベット３１、４１は、第１および第２柱部３１ａ、４１ａおよび第１および第２フランジ部３１ｂ、４１ｂを含む。
【００４４】
本実施形態によれば、キャッププレート２０は、導線性の連結部材４３によって第２端子部４０と電気的に連結することができるため、負極または正極の極性を有することが可能となる。
【００４５】
また、第１および第２集電体５０、７０は、第１および第２電極１１、１２に結合する第１および第２電極結合部５１、７１と、第１および第２端子部３０、４０と結合する第１および第２端子結合部５２、７２とを含む。
【００４６】
ここで、本実施形態に係る第１および第２端子部３０、４０の構造、第１および第２集電体５０、７０、第１および第２絶縁部材６０、８０の構造はほぼ同じであるため、以下では第２端子部４０、第２集電体７０、および第２絶縁部材８０についての説明は省略する。
【００４７】
ただし、本実施形態に係る第１端子部３０は、プレートタイプの端子ではなく、円柱形状に構成された端子（図示せず）を含んでもよい。
【００４８】
また、キャッププレート２０と第２リベット４１の間には、導電性の連結部材４３の代わりに絶縁性の絶縁部材が設置されることも可能である。したがって、キャッププレート２０は、第２端子部４０と電気的に連結されないこともある。
【００４９】
図３は、本発明の第１実施形態に係る二次電池の部分分解斜視図である。図３を参照しながら説明すれば、本実施形態に係る第１リベット３１は、柱部３１ａおよびリベットフランジ３１ｂを含んでもよい。
【００５０】
より詳しくは、リベットフランジ３１ｂは、第１リベットフランジ３１１ｂ、第２リベットフランジ３１２ｂ、および第３リベットフランジ３１３ｂを含んでもよい。ここで、第１リベットフランジ３１１ｂは、柱部３１ａの一端から柱部３１ａの高さ方向（ｙ軸方向）とほぼ垂直する方向（ｘ軸方向）に突出して形成されてもよい。また、第２リベットフランジ３１２ｂと第３リベットフランジ３１３ｂは、柱部３１ａの高さ方向（ｙ軸方向）とほぼ垂直する方向（ｘ軸方向）に第１リベットフランジ３１１ｂの一端と一端の反対側に位置した他端からそれぞれ突出して形成されてもよい。
【００５１】
また、本実施形態に係る第１ガスケット３４は、貫通ホールが形成されたガスケット本体３４ａおよびガスケットフランジ３４ｂを含んでもよい。
【００５２】
より詳しくは、ガスケットフランジ３４ｂは、第１ガスケットフランジ３４１ｂ、第２ガスケットフランジ３４２ｂ、および第３ガスケットフランジ３４３ｂを含んでもよい。ここで、第１ガスケットフランジ３４１ｂは、ガスケット本体３４ａの一端からガスケット本体３４ａの高さ方向（ｙ軸方向）とほぼ垂直する方向（ｘ軸方向）に突出して形成されてもよい。また、第２ガスケットフランジ３４２ｂと第３ガスケットフランジ３４３ｂは、ガスケット本体３４ａの高さ方向（ｙ軸方向）とほぼ垂直する方向（ｘ軸方向）に第１ガスケットフランジ３４１ｂの一端と一端の反対側に位置した他端からそれぞれ突出して形成されてもよい。
【００５３】
また、本実施形態に係る第１絶縁部材６０は、結合溝６１と、キャッププレート２０に形成された複数の突起溝２５に固定される複数の固定突起６２と、第１リベット３１が貫通する貫通ホール６３とを含んでもよい。ここで、結合溝６１は、図２に示すように、電極組立体１０と対向する第１絶縁部材６０の一面に形成されてもよい。
【００５４】
また、第１集電体５０は、第１電極１１に結合する第１電極結合部５１と第１端子結合部５２とを含んでもよい。
【００５５】
以下、本実施形態に係る第１リベット３１と第１ガスケット３４の結合関係についてより詳しく説明する。
【００５６】
第１絶縁部材６０は、固定突起６２がキャッププレート２０に形成された突起溝２５に固定されてもよい。
【００５７】
また、第１ガスケット３４は、第１絶縁部材６０の下部に形成された結合溝６１に挿入されてもよい。ここで、第１ガスケット３４のガスケット本体３４ａは貫通ホール６３に挿入され、結合溝６１には第１ガスケット３４に形成された第１ガスケットフランジ３４１ｂ、第２ガスケットフランジ３４２ｂ、および第３ガスケットフランジ３４３ｂが収容されてもよい。このとき、第１ガスケット３４の第２ガスケットフランジ３４２ｂおよび第３ガスケットフランジ３４３ｂは、キャッププレート２０の長さ方向（ｘ軸方向）と平行に設置されてもよい。
【００５８】
また、第１リベット３１の柱部３１ａは、第１ガスケット３４のガスケット本体３４ａ、第１絶縁部材６０の貫通ホール６３、およびキャッププレート２０に形成された端子ホール２６を貫通して設置されてもよく、第１リベットフランジ３１１ｂ、第２リベットフランジ３１２ｂ、および第３リベットフランジ３１３ｂは結合溝６１に収容されてもよい。このとき、第２リベットフランジ３１２ｂと第３リベットフランジ３１３ｂは、第２ガスケットフランジ３４２ｂおよび第３ガスケットフランジ３４３ｂと密着するように位置して結合溝６１に設置されてもよい。
【００５９】
したがって、第１リベット３１の第１リベットフランジ３１１ｂと第１ガスケット３４の第１ガスケットフランジ３４１ｂ、第１リベットの第２リベットフランジ３１２ｂと第１ガスケット３４の第２ガスケットフランジ３４２ｂ、および第１リベット３１の第３リベットフランジ３１３ｂは、結合溝６１で互いに密着するように設置されてもよい。
【００６０】
ここで、第１ガスケットフランジ３４１ｂの大きさは、第１リベットフランジ３１１ｂの大きさよりも大きいか同じであってもよく、第２ガスケットフランジ３４２ｂの大きさは、第２リベットフランジ３１２ｂの大きさよりも大きいか同じであってもよく、第３ガスケットフランジ３４３ｂの大きさは、第３リベットフランジ３１３ｂの大きさよりも大きいか同じであってもよい。
【００６１】
結局、第１ガスケット３４のガスケットフランジ３４ｂの大きさは、第１リベット３１のリベットフランジ３１ｂの大きさよりも大きいか同じであってもよい。
【００６２】
また、図２を再び参照すれば、第１リベット３１の柱部３１の終端は第１端子プレート３２とリベット結合してもよく、第１集電体５０の第１端子結合部５２は結合溝６１に挿入し、第１リベット３１と溶接などの方法によって結合してもよい。
【００６３】
したがって、第１絶縁部材６０は、第１リベット３１のリベットフランジ３１ｂが結合溝６１に固定され、集電体１０とキャッププレート２０の間に設置されてもよい。
【００６４】
本実施形態に係る二次電池１００のケース内部に注入された電解液は、第１下部絶縁部材６０の結合溝６１または第１絶縁部材６０とキャッププレート２０の間に侵入し、キャッププレート２０と第１リベット３１は電気的に短絡するようになる。
【００６５】
ここで、本実施形態に係るガスケットフランジ３４ｂの大きさは、リベットフランジ３１ｂの大きさよりも大きいか同じであってもよいため、ガスケットフランジ３４ｂの大きさがリベットフランジ３１ｂの大きさよりも小さい場合よりも、ガスケットフランジ３４ｂとリベットフランジ３１ｂの間の密着性をさらに向上させることが可能となる。したがって、ケース２６内の電解液がケース２６外部に流出することを防ぐことができる。
【００６６】
また、第１ガスケットフランジ３４１ｂの一端から延長して形成された第２ガスケットフランジ３４２ｂは、第２リベットフランジ３１２ｂと密着するように設置され、第１ガスケットフランジ３４１ｂの他端から延長して形成された第３ガスケットフランジ３４３ｂは、第３リベットフランジ３１３ｂと密着するように設置されるため、第１絶縁部材６０に浸透した電解液がキャッププレート２０まで到達するためには、第２ガスケットフランジ３４２ｂと第１絶縁部材６０の間を通過するようになる。
【００６７】
したがって、本実施形態に係るリベットフランジ３１ｂと第１ガスケット３４の間の密着性はガスケットフランジ３４ｂによって向上し、第１絶縁部材６０に浸透した電解液がキャッププレート２０に到達するための全体経路の長さが増加するため、電解液によってキャッププレート２０と第１リベット３１が電気的に短絡することを防ぐことが可能となる。
【００６８】
図４は、本発明の第１実施形態の他の変形例に係る部分分解斜視図である。ここで、本実施形態に係る二次電池１０１は、第１ガスケット３４’を除いては、本発明の第１実施形態に係る二次電池１００と同じ構造であるため、同じ構造についての説明は省略する。
【００６９】
図４を参照しながら説明すれば、本実施形態に係る第１ガスケット３４’は、貫通ホールが形成された本体３４’ａおよびガスケットフランジ３４’ｂを含んでもよい。
【００７０】
より詳しくは、ガスケットフランジ３４’ｂは、第１ガスケットフランジ３４１’ｂ、第２ガスケットフランジ３４２’ｂ、および第３ガスケットフランジ３４３’ｂを含んでもよい。
【００７１】
ここで、第１ガスケットフランジ３４１’ｂは、本体３４’ａの一端から本体３４’ａの高さ方向（ｙ軸方向）とほぼ垂直する方向（ｘ軸方向）に突出して形成されてもよい。
また、第２ガスケットフランジ３４２’ｂおよび第３ガスケットフランジ３４３’ｂは、本体３４’ａの高さ方向（ｙ軸方向）とほぼ垂直する方向（ｘ軸方向）に第１ガスケットフランジ３４１’ｂの一端と一端の反対側に位置した他端からそれぞれ突出して形成されてもよい。ここで、第２ガスケットフランジ３４２’ｂの終端は、第２ガスケットフランジ３４２’ｂの下側に向かって折り曲げられた折曲部３４２’ｂ１を形成してもよい。また、第３ガスケットフランジ３４３’ｂの終端は、第３ガスケットフランジ３４３’ｂの下側に向かって折り曲げられた折曲部３４３’ｂ２を形成してもよい。
【００７２】
したがって、第２および第３ガスケットフランジ３４２’ｂ、３４３’ｂは、第２リベットフランジ３１２ｂおよび第３リベットフランジ３１３ｂの側面にも密着するように設置されるようになる。
【００７３】
結局、本実施形態に係る第２および第３ガスケットフランジ３４２’ｂ、３４３’ｂの折曲部３４２’ｂ１、３４２’ｂ２によって、リベットフランジ３１ｂと第１ガスケット３４’の密着性をより向上させることが可能となる。したがって、ケース２６内の電解液がケース２６外部に流出することを防ぐことができる。
【００７４】
また、本実施形態によれば、第１絶縁部材６０に浸透した電解液がキャッププレート２０に到達するための全体経路を増加させることもできるため、電解液によってキャッププレート２０と第１リベット３１が電気的に短絡することを防ぐことが可能となる。
【００７５】
図５は、本発明の第２実施形態に係る二次電池の部分分解斜視図である。ここで、本実施形態に係る二次電池２００は、第１ガスケット３４’’を除いては、本発明の第１実施形態に係る二次電池１００と同じ構造であるため、同じ構造についての説明は省略する。
図５を参照しながら説明すれば、本実施形態に係る第１ガスケット３４’’は、貫通ホールが形成された本体３４’’ａ、ガスケットフランジ３４’’ｂ、およびリベットフランジ結合部３４’’ｃを含んでもよい。
【００７６】
本実施形態によれば、ガスケットフランジ３４’’ｂは、第１ガスケットフランジ３４１’’ｂ、第２ガスケットフランジ３４２’’ｂ、および第３ガスケットフランジ３４３’’ｂを含んでもよい。
【００７７】
ただし、本実施形態に係る第１ガスケットフランジ３４１’’ｂ、第２ガスケットフランジ３４２’’ｂ、および第３ガスケットフランジ３４３’’ｂは、第１実施形態に係る第１ガスケット３４の第１ガスケットフランジ３４１ｂ、第２ガスケットフランジ３４２ｂ、および第３ガスケットフランジ３４３ｂと同じ構造であるため、以下では同じ構造についての詳細な説明は省略する。
【００７８】
また、本実施形態に係るリベットフランジ結合部３４’’ｃは、ガスケットフランジ３４’’ｂの下部に形成されてもよい。ここで、ガスケットフランジ３４’’ｂの下部は、リベット３１の第１および第２リベットフランジ３１１ｂ、３１２ｂに向かって対向する方向に位置する。
【００７９】
より詳しくは、リベットフランジ結合部３４’’ｃは、第１ガスケットフランジ３４１’’ｂの下部に形成された第１リベットフランジ結合溝３４１’’ｃ、第２ガスケットフランジ３４２’’ｂの下部に形成された第２リベットフランジ結合溝３４２’’ｃ、および第３ガスケットフランジ３４２’’ｂの下部に形成された第３リベットフランジ結合溝３４３’’ｃを含んでもよい。したがって、第１リベットフランジ３１１ｂは第１リベットフランジ結合溝３４１’’ｃに結合し、第２リベットフランジ３１２ｂは第２リベットフランジ結合溝３４２’’ｃに結合し、第３リベットフランジ３１３ｂは第３リベットフランジ結合溝３４３’’ｃに結合することが可能となる。
【００８０】
したがって、本実施形態によれば、リベットフランジ３１ｂがリベットフランジ結合溝３４’’ｃに挿入し、リベットフランジ３１ｂの側面もガスケットフランジ３４’’ｂと密着するように設置されることが可能となる。
【００８１】
したがって、ガスケットフランジ３４’’ｂとリベットフランジ３１ｂの密着性をより向上させることが可能となる。結局、ケース２６内の電解液がケース２６の外部に流出することを防ぐことができる。
【００８２】
また、第１絶縁部材６０に浸透した電解液がキャッププレート２０に到達するための全体経路を増加させることもできるため、電解液によってキャッププレート２０と第１リベット３１が電気的に短絡することを防ぐことが可能となる。
【００８３】
図６は、本発明の第３実施形態に係る二次電池の部分分解斜視図である。図７は、図６の二次電池の結合状態に係る部分断面図である。
【００８４】
ここで、本実施形態に係る二次電池３００は、第１絶縁部材９０を除いては、本発明の第２実施形態に係る二次電池２００とほぼ同じ構造であるため、同じ構造についての説明は省略する。
【００８５】
図６および図７を参照しながら説明すれば、本実施形態に係る他の第１絶縁部材９０は、第１集電体５０が結合する結合溝９１、およびキャッププレート２０に形成された複数の突起溝２５に固定される複数の固定突起９２を含んでもよい。
【００８６】
ここで、本実施形態に係る結合溝９１は、キャッププレート２０と対向する第１絶縁部材９０の対向面に形成されてもよい。したがって、図７に示すように、第１集電体５０の第１電極結合部５１は、第１絶縁部材９０に形成された結合溝９１に収容されることが可能となる。
【００８７】
また、第１リベット３１および第１ガスケット３４’’は、結合溝９１に順に積層されることが可能となる。
【００８８】
したがって、第１集電体５０、第１リベット３１、および第１ガスケット３４’’をより容易に結合させることが可能となる。
【００８９】
また、本実施形態に係る第１絶縁部材９０は、第１集電体５０の第１電極結合部５１が結合溝９１に収容されるため、第１電極結合部５１と電解液の接触を遮断することが可能となる。したがって、キャッププレート２０と第１リベット３１が電気的に短絡することを防ぐことが可能となる。
【００９０】
図８は、本発明の第３実施形態の他の変形例に係る部分分解斜視図である。ここで、本実施形態に係る二次電池３０１は、第１絶縁部材９０の第１集電体結合フック９３を除いては、本発明の第３実施形態に係る二次電池３００と同じ構造であるため、同じ構造についての説明は省略する。
【００９１】
図８を参照しながら説明すれば、本実施形態に係る第１絶縁部材９０は、第１絶縁部材９０の一側で延長して形成された第１集電体結合フック９３を含んでもよい。
【００９２】
したがって、第１集電体５０の第１端子結合部５２の一側は、第１集電体結合フック９３によって固定されるようになる。
【００９３】
結局、第１集電体５０は、第１集電体結合フック９３によってより安定的に第１絶縁部材９０と結合することが可能となる。
【００９４】
図３〜図６および図８を参照すれば、第１〜第３リベットフランジおよび第１〜第３ガスケットフランジは大略四角形状であるものと示されているが、本発明の第１〜第３リベットフランジおよび第１〜第３ガスケットフランジが四角形状に限定されることはない。
例えば、第１〜第３リベットフランジは円形、楕円形、または三角形のうちの１つの形状であってもよく、第１〜第３ガスケットフランジの形状は第１〜第３リベットフランジの形状に相応する形状であってもよい。
【００９５】
以上、本発明の好ましい実施形態について説明したが、本発明はこれに限定されるものではなく、特許請求の範囲と発明の詳細な説明、および添付の図面の範囲内で多様に変形して実施することが可能であり、これも本発明の範囲に属することは当然である。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００９６】
１００、１０１、２００、３００、３０１：二次電池
１０：電極組立体
１１：第１電極
１２：第２電極
１３：セパレータ
３０：第１端子部
３１：第１リベット
３１ａ：柱部
３１ｂ：リベットフランジ
３１１ｂ：第１リベットフランジ
３１２ｂ：第２リベットフランジ
３１３ｂ：第３リベットフランジ
３４ａ：ガスケット本体
３４、３４’、３４’’：第１ガスケット
３４ｂ、３４’ｂ、３４’’ｂ：ガスケットフランジ
３４１ｂ、３４１’ｂ、３４１’’ｂ：第１ガスケットフランジ
３４２ｂ、３４２’ｂ、３４２’’ｂ：第２ガスケットフランジ
３４３ｂ、３４３’ｂ、３４３’’ｂ：第３ガスケットフランジ
６０、９０：第１絶縁部材
８０：第２絶縁部材
９３：第１集電体結合フック
【図１】
2013016478.tif 000003
【図２】
2013016478.tif 000004
【図３】
2013016478.tif 000005
【図４】
2013016478.tif 000006
【図５】
2013016478.tif 000007
【図６】
2013016478.tif 000008
【図７】
2013016478.tif 000009
【図８】
2013016478.tif 000010